(57)【要約】【課題】紙ジャムの発生を抑制することができるプリンタを提供する。【解決手段】記録媒体４に印刷を行うプリンタ２であって、記録媒体４を外部に排出するための排出口を有する筐体６と、筐体６の内部に配置され、且つ、所定の方向に往復移動し、且つ、印刷を行うための記録ヘッド３０を有するキャリッジ２４と、排出口１２に開閉自在に設けられたカバー部材１４と、を備え、筐体６は、カバー部材１４を閉じた状態に保持する保持部１７を有し、カバー部材１４は、閉じた状態において、カバー部材１４から筐体６の内部に向かって突出している突出部１８有し、突出部１８は、カバー部材１４が閉じた状態において所定の方向にキャリッジ２４が移動した場合に、キャリッジ２４の一部が当たる位置に設けられている。【選択図】図３
2016030415.tif 000002
【特許請求の範囲】
【請求項１】
記録媒体に印刷を行うプリンタであって、
前記記録媒体を外部に排出するための排出口を有する筐体と、
前記筐体の内部に配置され、所定の方向に往復移動し、且つ、前記印刷を行うための記録ヘッドを有するキャリッジと、
前記排出口に開閉自在に設けられたカバー部材と、を備え、
前記筐体は、前記カバー部材を閉じた状態に保持する保持部を有し、
前記カバー部材は、閉じた状態において、前記カバー部材から前記筐体の内部に向かって突出している突出部を有し、
前記突出部は、前記カバー部材が閉じた状態において前記所定の方向に前記キャリッジが移動した場合に、前記キャリッジの一部が当たる位置に設けられている
プリンタ。
【請求項２】
前記突出部は、前記所定の方向に対して傾斜している傾斜面を有し、
前記傾斜面は、前記カバー部材が閉じた状態において前記所定の方向に前記キャリッジが移動した場合に、前記キャリッジの一部が当たる位置に設けられている
請求項１に記載のプリンタ。
【請求項３】
前記突出部は、前記カバー部材の前記所定の方向における幅の中心に設けられている
請求項１または２に記載のプリンタ。
【請求項４】
前記カバー部材は、開いた状態において、排出された前記記録媒体が載置される載置面を有し、
前記突出部は、前記カバー部材が開いた状態における前記記録媒体が排出される方向に向かうほど、前記載置面から突出する突出量が増加している
請求項１から３のいずれか１項に記載のプリンタ。
【請求項５】
前記カバー部材は、閉じた状態において、重力または弾性力により、開いた状態となる方向に向けて力が加えられている状態で、前記保持部に保持されている
請求項１から４のいずれか１項に記載のプリンタ。
【請求項６】
前記カバー部材は、
閉じた状態において前記排出口を塞ぐ板状部材と、
前記板状部材に交差する方向に回転自在に前記板状部材の下端を支持する支持部と、を有する
請求項５に記載のプリンタ。
【発明の詳細な説明】
【技術分野】
【０００１】
本発明は、記録媒体に印刷を行うプリンタに関する。
【背景技術】
【０００２】
記録媒体に印刷を行うプリンタとして、例えばインクジェットプリンタが知られている（例えば、特許文献１参照）。インクジェットプリンタの筐体には、印刷すべき記録媒体を筐体の内部に供給するための供給口と、印刷された記録媒体を筐体の外部に排出するための排出口とが設けられている。
【０００３】
上述した排出口には、カバー部材が開閉自在に設けられている。このカバー部材は、開いた状態では、排出口から排出された記録媒体を下方より支持するための排出トレイとして機能する。
【０００４】
ユーザは、印刷の実行直前に、カバー部材を手動で開けるとともに、記録媒体を供給口に差し込む。印刷の実行時には、記録媒体は、供給口を通して筐体の内部に供給され、筐体の内部で印刷された後に、排出口を通して筐体の外部に排出される。
【先行技術文献】
【特許文献】
【０００５】
【特許文献１】特開２００６−３１２２８６号公報
【発明の概要】
【発明が解決しようとする課題】
【０００６】
上述した従来のプリンタでは、ユーザは、印刷の実行直前に、カバー部材を開けるのを忘れるおそれがある。カバー部材が閉じられたままで印刷が実行された場合には、印刷された記録媒体が筐体の外部に排出されずに筐体の内部に詰まる、いわゆる紙ジャムが発生してしまう。
【０００７】
本発明は、上述した課題を解決しようとするものであり、その目的は、紙ジャムの発生を抑制することができるプリンタを提供することである。
【課題を解決するための手段】
【０００８】
上記目的を達成するために、本発明の一態様に係るプリンタは、記録媒体に印刷を行うプリンタであって、前記記録媒体を外部に排出するための排出口を有する筐体と、前記筐体の内部に配置され、所定の方向に往復移動し、且つ、前記印刷を行うための記録ヘッドを有するキャリッジと、前記排出口に開閉自在に設けられたカバー部材と、を備え、前記筐体は、前記カバー部材を閉じた状態に保持する保持部を有し、前記カバー部材は、閉じた状態において、前記カバー部材から前記筐体の内部に向かって突出している突出部を有し、前記突出部は、前記カバー部材が閉じた状態において前記所定の方向に前記キャリッジが移動した場合に、前記キャリッジの一部が当たる位置に設けられている。
【０００９】
これによれば、カバー部材には、キャリッジが所定の方向に移動した場合にキャリッジの一部が当たる位置に、突出部が設けられている。つまり、キャリッジは、印刷開始時にキャリッジが所定の方向に移動したときに、突出部に当たることにより、保持部によるカバー部材の閉じた状態の保持を解除することができる。このため、印刷された記録媒体が排出口から排出される前に、カバー部材を閉じた状態から開いた状態とすることができる。これにより、印刷された記録媒体が排出口から排出されるときに、カバー部材が閉じた状態となっていることを防止できる。よって印刷された記録媒体を、排出口を通して筐体の外部に排出することができ、記録媒体が閉じた状態のカバー部材によって詰まることを防ぐことができる。
【００１０】
例えば、前記突出部は、前記所定の方向に対して傾斜している傾斜面を有し、前記傾斜面は、前記カバー部材が閉じた状態において前記所定の方向に前記キャリッジが移動した場合に、前記キャリッジの一部が当たる位置に設けられていても良い。
【００１１】
これによれば、カバー部材に設けられる突出部には、所定の方向に対して傾斜している傾斜面が形成されており、当該傾斜面は、キャリッジが所定の方向に移動した場合にキャリッジの一部が当たる位置に設けられている。このため、キャリッジは、印刷開始持にキャリッジが所定の方向に移動したときに、突出部の傾斜面に当たることにより、カバー部材に対して所定の方向に交差する方向の力を与えることができる。これにより、キャリッジは、閉じた状態のカバー部材に対して、カバー部材が開く方向に向けて効率よく力を伝達することができる。
【００１２】
また、前記突出部は、前記カバー部材の前記所定の方向における幅の中心に設けられていても良い。
【００１３】
このため、キャリッジは、所定の方向に移動することにより、閉じた状態のカバー部材の突出部に当たった場合に、カバー部材の中心に力を伝えることができる。これにより、キャリッジは、カバー部材に対して偏った力を伝えることを防ぐことができ、カバー部材の変形や、破損などを防ぐことができる。
【００１４】
また、前記カバー部材は、開いた状態において、排出された前記記録媒体が載置される載置面を有し、前記突出部は、前記カバー部材が開いた状態における前記記録媒体が排出される方向に向かうほど、前記載置面から突出する突出量が増加していても良い。
【００１５】
これによれば、カバー部材が開いた状態における記録媒体が排出される方向に向かうほど、突出部は、載置面から突出する突出量が増加しているため、記録媒体が排出口から載置面に移動しているときに、突出部に引っかかることを防止できる。このため、例えば、記録媒体が排出口から排出される時の移動量が大きくても、排出された記録媒体が突出部に引っかかって詰まることを防ぐことができる。
【００１６】
また、前記カバー部材は、閉じた状態において、重力または弾性力により、開いた状態となる方向に向けて力が加えられている状態で、前記保持部に保持されていても良い。
【００１７】
これによれば、カバー部材に対して開いた状態となる方向に力が加えられているため、保持部による保持を解除するだけの力をカバー部材に加えれば、カバー部材を自動的に開いた状態とすることができる。
【００１８】
また、前記カバー部材は、閉じた状態において前記排出口を塞ぐ板状部材と、前記板状部材に交差する方向に回転自在に前記板状部材の下端を支持する支持部と、を有しても良い。
【発明の効果】
【００１９】
本発明の一態様に係るプリンタによれば、紙ジャムの発生を抑制することができる。
【図面の簡単な説明】
【００２０】
【図１】実施の形態に係るプリンタの、カバー部材が閉じた状態における外観を示す斜視図である。
【図２】実施の形態に係るプリンタの、カバー部材が開いた状態における外観を示す斜視図である。
【図３】カバー部材が閉じた状態でのプリンタの内部構造を示す図である。
【図４】キャリッジが移動しているときにおける、カバー部材とキャリッジとの関係を示す拡大図である。
【図５】カバー部材が開いた状態でのプリンタの内部構造を示す図である。
【図６】カバー部材が閉じた状態での図３におけるＡ−Ａ断面を示す図である。
【図７】カバー部材が開いた状態での図５におけるＢ−Ｂ断面を示す図である。
【発明を実施するための形態】
【００２１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２２】
（実施の形態１）
［プリンタの外部構造］
まず、図１及び図２を参照しながら、実施の形態に係るプリンタ２の外部構造について説明する。図１及び図２はそれぞれ、実施の形態に係るプリンタ２の外観を示す斜視図である。
【００２３】
図１及び図２に示すように、プリンタ２は、例えば、記録媒体４にインクを吐出することにより印刷を行うインクジェットプリンタである。なお、記録媒体４は、例えば普通紙、写真用紙又は印刷可能なレーベル面を有するＣＤ−ＲＯＭ（Ｃｏｍｐａｃｔ  Ｄｉｓｃ  Ｒｅａｄ  Ｏｎｌｙ  Ｍｅｍｏｒｙ）等である。
【００２４】
プリンタ２は、筐体６を備えている。筐体６の背面６ａの上端部には、印刷すべき記録媒体４を筐体６の内部に供給するための供給口８が設けられている。供給口８には、記録媒体４が上方より差し込まれる。筐体６の背面６ａの上端部には、さらに、供給口８に差し込まれた記録媒体４を後方より支持するための供給トレイ１０が固定されている。供給トレイ１０は、供給口８から斜め上方に向けて延びている。
【００２５】
筐体６の前面６ｂには、印刷された記録媒体４を筐体６の外部に排出するための略矩形状の排出口１２が設けられている。この排出口１２には、略矩形状のカバー部材１４が開閉自在に設けられている。
【００２６】
カバー部材１４は、排出口１２を塞ぐことが可能な板状部材であり、排出口１２の下端部に配置され且つ略水平方向（Ｘ軸方向）に延びる回転軸１６を中心として、排出口１２を開放する開方向及び排出口１２を閉塞する閉方向に回転可能である。図１に示すように、カバー部材１４は、閉じた状態では、鉛直方向（Ｚ軸方向）に対してやや傾斜して延びるようになる。なお、カバー部材１４が閉じた状態で、カバー部材１４の重心は、回転軸１６よりも上方（Ｚ軸方向プラス側）、および、筐体６の外側（Ｙ軸方向マイナス側）に位置している。図２に示すように、カバー部材１４は、開いた状態では、排出口１２の下端部から略水平方向（Ｙ軸方向）に延びるようになり、排出口１２から排出された記録媒体４を下方より支持するための排出トレイとして機能する。つまり、カバー部材１４は、開いた状態において、排出された記録媒体４が載置される載置面Ｓを有する。また、カバー部材１４は、閉じた状態において、カバー部材１４から筐体６の内部（Ｙ軸方向プラス側）に向かって突出している突出部１８を有する。突出部１８は、閉じた状態におけるカバー部材１４に対して、円錐の一部が突出した形状であり、かつ、当該円錐の頂点が下に位置するような形状である。また、図２に示すように、カバー部材１４の裏面側におけるＸ軸方向の両端部１４ａには、フック部１９（後述する）が設けられている。
【００２７】
また、筐体６、カバー部材１４を閉じた状態に保持する保持部１７を有する（図５参照）。つまり、カバー部材１４は、閉じた状態において、重力により、開いた状態となる方向に向けて力が加えられている状態で、保持部１７に保持されている。
【００２８】
筐体６の上面６ｃには、プリンタ２の操作（例えば、電源のオン・オフ又は印刷の開始等）を実行するための操作パネル２１が設けられている。
【００２９】
［プリンタの内部構造］
次に、図３を参照しながら、上述したプリンタ２の内部構造について説明する。図３は、カバー部材が閉じた状態でのプリンタの内部構造を示す図である。具体的には、図３は、プリンタ２の筐体６の上面６ｃを除いた、プリンタ２を上面視したときの図である。
【００３０】
図３に示すように、筐体６の内部には、フレーム２０が配置されている。フレーム２０には、ガイドシャフト２２が支持されている。ガイドシャフト２２は、記録媒体４の搬送方向と略直交する方向（Ｘ軸方向）に延びている。つまり、搬送方向は、Ｙ軸方向に平行な方向であって、図３中の矢印Ｐで示す方向である。ガイドシャフト２２には、キャリッジ２４が移動自在に支持されている。
【００３１】
キャリッジ２４には、複数のインクカートリッジ２６が交換可能に搭載されている。複数のインクカートリッジ２６にはそれぞれ、例えば、ブラック、シアン、マゼンタ及びイエローの各色のインクが充填されている。キャリッジ２４には、さらに、印刷を行うための記録ヘッド３０（後述の図６及び図７を参照）が搭載されている。記録ヘッド３０には、複数のインクカートリッジ２６の各々から供給されるインクを吐出するための複数のノズル（図示せず）が設けられている。
【００３２】
上述したフレーム２０には、さらに、例えばサーボモータ等のモータ２８が支持されている。モータ２８の駆動力は、タイミングベルト（図示せず）を介してキャリッジ２４に伝達される。キャリッジ２４は、モータ２８の駆動力によって、ガイドシャフト２２に沿ってＸ軸方向（所定の方向を構成する）に往復移動する。
【００３３】
なお、図３に示すように、キャリッジ２４は、印刷の実行直前（すなわち、記録媒体４に印刷する前）には、待機位置（図３に示す位置）からＸ軸方向に移動する。このとき、キャリッジ２４は、筐体６における待機位置とは反対側の位置まで移動する際に、カバー部材１４が閉じた状態において、カバー部材１４に設けられた突出部１８に当たる。
【００３４】
筐体６の内部には、さらに、搬送機構（図示せず）が配置されている。搬送機構は、供給口８を通して筐体６の内部に供給された記録媒体４を、図３中の矢印Ｐで示す方向に、排出口１２に向けて搬送するための機構である。
【００３５】
記録媒体４が搬送機構により搬送されている状態で、キャリッジ２４が記録媒体４の搬送方向と略直交する方向に往復移動しながら、記録ヘッド３０のノズルから記録媒体４に向けてインクが吐出されることにより、記録媒体４に画像が印刷される。
【００３６】
［カバー部材の構成］
次に、本実施の形態のプリンタ２の特徴的な構成であるカバー部材１４について説明する。
【００３７】
図４は、キャリッジが移動しているときにおける、カバー部材とキャリッジとの関係を示す図３の領域Ａ１の拡大図である。図５は、カバー部材が開いた状態でのプリンタの内部構造を示す図である。図６は、カバー部材が閉じた状態での図３におけるＡ−Ａ断面を示す図である。図７は、カバー部材が開いた状態での図３におけるＢ−Ｂ断面を示す図である。
【００３８】
図４の（ａ）は、キャリッジ２４が移動し始めたときにおける、カバー部材１４とキャリッジ２４との位置関係を説明するための図である。図４の（ｂ）は、キャリッジ２４が移動することによりカバー部材１４の突出部１８に当たったときにおける、カバー部材１４とキャリッジ２４との位置関係を説明するための図である。
【００３９】
図４の（ａ）に示すように、例えば操作パネル２１が操作されることにより、印刷が開始された場合、キャリッジ２４が所定の方向への移動を開始する。次に、キャリッジ２４は、カバー部材１４における突出部１８が設けられている位置まで移動した場合、図４の（ｂ）に示すように、突出部１８に当たる。つまり、突出部１８は、カバー部材１４が閉じた状態において所定の方向にキャリッジ２４が移動した場合に、キャリッジ２４の一部が当たる位置に設けられている。また、突出部１８は、所定の方向（キャリッジ２４が移動する方向）に対して傾斜している傾斜面１８ａを有する。この傾斜面１８ａは、キャリッジ２４の一部が当たる位置に設けられている。このため、キャリッジ２４が印刷開始時に移動したときに、キャリッジ２４の一部が突出部１８の傾斜面１８ａに当たることにより、カバー部材１４に対して所定の力Ｑを加えることができる。このように、カバー部材１４は、キャリッジ２４の移動により所定の力Ｑが加えられることにより、図５および図７に示すように、保持部１７による保持が解除されて、開いた状態とされることができる。
【００４０】
また、突出部１８は、カバー部材１４の所定の方向（Ｘ軸方向）における幅の中心に設けられている。このため、キャリッジ２４は、所定の方向に移動することにより、閉じた状態のカバー部材１４の突出部１８に当たった場合に、カバー部材１４の中心に力を伝えることができる。これにより、キャリッジ２４は、カバー部材１４に対して偏った力を伝えることを防ぐことができ、カバー部材１４の変形や、破損などを防ぐことができる。なお、突出部１８は、カバー部材１４の所定の方向における幅の中心の位置に厳密に設けられていなくてもよく、当該幅の中央の領域に設けられていれば効果はある。
【００４１】
また、突出部１８は、図６および図７に示すように、カバー部材１４が開いた状態における記録媒体４が排出される方向に向かうほど、載置面Ｓから突出する突出量が増加している。より具体的には、排出口１２の底部と、載置面Ｓとはなめらかに連続している面を形成している。そして、突出部１８は、カバー部材１４が開いた状態における記録媒体４が排出される方向に向かうほど、突出部１８が載置面Ｓの位置から徐々に突出している。このため、記録媒体４が排出口１２から排出される時の移動量が大きくて、突出部１８の位置まで達する移動量である場合であっても、排出口１２から排出された記録媒体４が突出部１８に引っかかって詰まることを防ぐことができる。
【００４２】
キャリッジ２４は、印刷が開始されたときに、記録媒体４に印刷するための往復移動を行う前に、キャリッジ２４の位置を特定するための移動を行う。このように、キャリッジ２４の位置を特定するための移動が行われるため、記録媒体へのインクの吐出が行われる前にカバー部材１４を開くことができる。
【００４３】
なお、印刷の実行完了後に、ユーザがカバー部材１４を手動で閉じた際には、保持部１７は、閉じた状態のカバー部材１４のフック部１９に引っ掛かる。つまり、カバー部材１４は、保持部１７により閉じた状態に再び保持される。
【００４４】
［効果］
（１）
本実施の形態にかかるプリンタ２によれば、カバー部材１４には、キャリッジ２４が所定の方向に移動した場合にキャリッジ２４の一部が当たる位置に、突出部１８が設けられている。つまり、キャリッジ２４は、印刷開始時にキャリッジ２４が所定の方向に移動したときに、突出部１８に当たることにより、保持部１７によるカバー部材１４の閉じた状態の保持を解除することができる。このため、印刷された記録媒体４が排出口１２から排出される前に、カバー部材１４を閉じた状態から開いた状態とすることができる。これにより、印刷された記録媒体４が排出口１２から排出される時に、カバー部材１４が閉じた状態となっていることを防止できる。よって印刷された記録媒体４を、排出口１２を通して筐体６の外部に排出することができ、記録媒体４が閉じた状態のカバー部材１４によって詰まることを防ぐことができる。
【００４５】
（２）
本実施の形態にかかるプリンタ２によれば、カバー部材１４に設けられる突出部１８には、所定の方向に対して傾斜している傾斜面１８ａが形成されており、当該傾斜面１８ａは、キャリッジ２４が所定の方向に移動した場合にキャリッジ２４の一部が当たる位置に設けられている。このため、キャリッジ２４は、印刷開始時にキャリッジ２４が所定の方向に移動したときに、突出部１８の傾斜面１８ａに当たることにより、カバー部材１４に対して所定の方向に交差する方向の力Ｑを与えることができる。これにより、キャリッジ２４は、閉じた状態のカバー部材１４に対して、カバー部材１４が開く方向に向けて効率よく力を伝達することができる。
【００４６】
（３）
本実施の携帯にかかるプリンタ２によれば、カバー部材１４に対して開いた状態となる方向に力が加えられているため、保持部１７による保持を解除するだけの力Ｑをカバー部材１４に加えれば、カバー部材１４を自動的に開いた状態とすることができる。
【００４７】
（変形例）
以上、本発明の実施の形態に係るプリンタ２について説明したが、本発明は、上記実施の形態に限定されるものではない。
【００４８】
（１）
上記実施の形態では、カバー部材１４は、物理的な回転軸１６により支持されているが、これに限らずに、板状部材が回転自在に指示されていればよいため、必ずしも物理的な回転軸１６は必要ない。つまり、カバー部材は、閉じた状態において排出口１２を塞ぐ板状部材と、板状部材に交差する方向に回転自在に板状部材の下端を支持する支持部とを有していればよい。
【００４９】
（２）
上記実施の形態では、カバー部材１４は、重力によって開く方向に向けて力が加えられているが、これに限らずに、例えばバネなどの弾性体によって開く方向に向けて力が加えられていてもよい。また、カバー部材１４は、Ｘ軸方向に平行な回転軸で回転することにより開閉するが、Ｘ軸方向に平行な回転軸で回転しなくてもよく、Ｚ軸方向に平行な回転軸で回転することにより開閉してもよい。
【００５０】
（３）
上記実施の形態では、カバー部材１４に形成される突出部１８は、円錐形状の一部が突出しているが、これに限らずに、キャリッジの移動の力によりカバー部材を開くように作用する形状であれば円錐形状に限らない。例えば、Ｘ軸方向の中心が最も突出するような三角錐の一部が突出するように設けられたものであってもよいし、三角柱の一部が突出するように設けられたものであってもよいし、円柱の一部が突出するように設けられたものであってもよい。
【００５１】
（４）
上記実施の形態では、突出部１８には、傾斜面１８ａが形成されているが、傾斜面１８ａは必ずしも形成されていなくてもよい。この場合、キャリッジの突出部と当たる部分が所定方向に対して傾斜していてもよい。
【産業上の利用可能性】
【００５２】
本発明は、記録媒体が閉じた状態のカバー部材によって詰まることを防ぐことができるプリンタなどとして有用である。
【符号の説明】
【００５３】
２    プリンタ
４    記録媒体
６    筐体
６ａ    背面
６ｂ    前面
６ｃ    上面
８    供給口
１０    供給トレイ
１２    排出口
１４    カバー部材
１４ａ    両端部
１６    回転軸
１７    保持部
１８    突出部
１８ａ    傾斜面
１９    フック部
２０    フレーム
２１    操作パネル
２２    ガイドシャフト
２４    キャリッジ
２６    インクカートリッジ
２８    モータ
３０    記録ヘッド
【図１】
2016030415.tif 000003
【図２】
2016030415.tif 000004
【図３】
2016030415.tif 000005
【図４】
2016030415.tif 000006
【図５】
2016030415.tif 000007
【図６】
2016030415.tif 000008
【図７】
2016030415.tif 000009